(57)【要約】 【課題】    夜間においても明るく、分かり易く、視認し易くして事故防止、防犯に役立ち、安全対策にもなり、しかも低コストに提供できる新規な道路線引夜間表示装置を提供する。【解決手段】  車線線引、方向指示線引あるいは区画線引１等の線引を側面発光光ファイバー３を敷設して構成し、この側面発光光ファイバー３上に保護カバー４を設け、側面発光光ファイバー３の入射端面５に光源６を対向配置してある。【選択図】    図１
2005090144.tif 000002
【特許請求の範囲】
【請求項１】
車線線引、方向指示線引あるいは区画線引等の線引を側面発光光ファイバーを敷設して構成し、この側面発光光ファイバー上に保護カバーを設け、側面発光光ファイバーの入射端面に光源を対向配置してある道路線引夜間表示装置。
【請求項２】
上記側面発光光ファイバーがプラスチック光ファイバーである上記請求項１に記載の道路線引夜間表示装置。
【請求項３】
上記保護カバーが白色、乳白色又は透明の何れかである上記請求項１に記載の道路線引夜間表示装置。
【請求項４】
上記保護カバーが強化プラスチック製又は強化ガラス製である上記請求項３に記載の道路線引夜間表示装置。
【請求項５】
上記光源が高輝度白色ＬＥＤである上記請求項１に記載の道路線引夜間表示装置。
【請求項６】
上記側面発光光ファイバーの入射端と光源との間に着色フィルターを介在させてある上記請求項１に記載の道路線引夜間表示装置。
【請求項７】
上記着色フィルターが異色領域を有する回転板である上記請求項６に記載の道路線引夜間表示装置。
【請求項８】
上記光源の電源に太陽電池を使用してある上記請求項１に記載の道路線引夜間表示装置。
【発明の詳細な説明】
【技術分野】
【０００１】
本発明は、道路上の車線線引、方向指示線引あるいは駐車場の区画線引等道路線引を夜間においても明るく、分かり易く、視認し易くして事故防止、防犯に役立ち、安全対策にもなる道路線引夜間表示装置に関する。
【背景技術】
【０００２】
従前公知の道路線引夜間表示装置は、路面上にペンキ塗装によりなされている。このペンキ塗装による道路線引は昼間にあっては視認し易い状況であるが、夜間にあっては視認し易くないという課題がある。この課題を解決するために光ファイバーの束を使用し、この光ファイバーの束を路面下に配設し、その光拡散端を路面上に露出させて輝板状に配置した路面表示用輝板は公知である（例えば特許文献１，２，３）。  
一方、装飾用の光ファイバーとして、出射端面だけでなく、側面からも発光する光ファイバーが知られている（例えば特許文献４）。
【特許文献１】特開平１０−２５７１８号公報
【特許文献２】特開平１０−２５７１９号公報
【特許文献３】特開２００２−３８４３３号公報
【特許文献４】特開平６−２３０２２６号公報
【発明の開示】
【発明が解決しようとする課題】
【０００３】
上記特許文献１，２，３の先行例は、多くの光ファイバーの束を路面下に敷設しなければならないから、高コストとなるという課題がある。
一方、側面から発光する側面発光光ファイバーを使用すれば、多数の光ファイバーを使用しなくてもよいからコストを低くすることができる。
本発明は、上記の点に鑑み、夜間においても明るく、分かり易く、視認し易くして事故防止、防犯に役立ち、安全対策にもなり、しかも低コストに提供できる新規な道路線引夜間表示装置を提供するものである。
【課題を解決するための手段】
【０００４】
そのために、本発明道路線引夜間表示装置は、車線線引、方向指示線引あるいは区画線引等の線引を側面発光光ファイバーを敷設して構成し、この側面発光光ファイバー上に保護カバーを設け、側面発光光ファイバーの入射端面に光源を対向配置してある。
【０００５】
本発明道路線引夜間表示装置は、上記側面発光光ファイバーがプラスチック光ファイバーである。
また、本発明道路線引夜間表示装置は、上記保護カバーが白色、乳白色又は透明の何れかである。
さらに、本発明道路線引夜間表示装置は、上記保護カバーが強化プラスチック製又は強化ガラス製である。
また、本発明道路線引夜間表示装置は、上記光源が高輝度白色ＬＥＤである。
さらに、本発明道路線引夜間表示装置は、上記側面発光光ファイバーの入射端と光源との間に着色フィルターを介在させてある。
また、本発明道路線引夜間表示装置は、上記着色フィルターが異色領域を有する回転板である。
さらに、本発明道路線引夜間表示装置は、上記光源の電源に太陽電池を使用してある。
【発明の効果】
【０００６】
本発明の道路線引夜間表示装置は、車線線引、方向指示線引あるいは区画線引等の線引を側面発光光ファイバーを敷設して構成し、この側面発光光ファイバー上に保護カバーを設け、側面発光光ファイバーの入射端面に光源を対向配置してあるから、夜間において、道路線引が明るく分かり易く、視認し易い効果があり、これにより事故防止、防犯に役立ち、安全対策になる効果がある。
【０００７】
本発明の道路線引夜間表示装置は、上記側面発光光ファイバーがプラスチック光ファイバーであるから、既存の側面発光光ファイバーを使用して安価に提供できる効果がある。
また、本発明の道路線引夜間表示装置は、上記保護カバーが白色、乳白色又は透明の何れかであるから、線引が夜間にきわめて視認し易い利点がある。
さらに、本発明の道路線引夜間表示装置は、上記保護カバーが強化プラスチック製又は強化ガラス製であるから、側面発光光ファイバーを充分保護し、長期に耐用できる効果がある。
また、本発明の道路線引夜間表示装置は、上記光源が高輝度白色ＬＥＤであるから、消費電力が少なくてすむ効果がある。
【０００８】
さらに、本発明の道路線引夜間表示装置は、上記側面発光光ファイバーの入射端と光源との間に着色フィルターを介在させてあるから、線引を白色以外の種々の色にすることができる効果がある。
また、本発明の道路線引夜間表示装置は、上記着色フィルターが異色領域を有する回転板であるから、線引の色を種々容易に変更できる効果がある。
さらに、本発明の道路線引夜間表示装置は、上記光源の電源に太陽電池を使用してあるから、昼間に蓄電しておき、夜間に使用して経済的効果がある。
【発明を実施するための最良の形態】
【０００９】
図面に示した好ましい実施例により本発明の詳細を説明する。
図１に本発明の道路線引夜間表示装置を駐車場の区画線引に使用した実施例の平面図を示してある。図中符号１が駐車場の区画線引で、駐車場面２に側面発光光ファイバー３を敷設してあり、この側面発光光ファイバー３を保護カバー４によって保護してある。この側面発光光ファイバー３の入射端面５に対向させて光源６を配置し、この光源６からの光が側面発光光ファイバー３の側面から発光するようにしてある。
【００１０】
駐車場の区画線引１は、直線とこの直線に直交する線引により構成されるから、直交する角部分には公知の分光機構を配置すればよい。
上記側面発光光ファイバー３としては、プラスチック光ファイバーを使用してあり、直径が３φ〜１５φ程のものが適用される。
また、上記保護カバー４は強化プラスチック又は強化ガラスを使用し、具体的にはポリカーボネートが望ましい。この保護カバー４は白色、乳白色又は透明であるとよい。
さらに、光源６には、高輝度白色ＬＥＤを使用してあり、５０Ｗ〜１００Ｗ程度でよいが、大きな光源を使用すれば５００Ｗ程のものでもよい。
【００１１】
図４には、高速道路の側壁に本発明道路線引夜間表示装置を使用した実施例を示してあり、高速道路でカーブしている個所等に使用すれば効果的である。
また、図５及び図６に例えば白、青、赤、緑、黄等の異色領域８を有する回転板７からなる着色フィルター９を光源６と側面発光光ファイバー３の入射端面５との間に配置し、側面発光光ファイバー３を着色発光させるようにしてもよい。回転板７は回転モータ１０によって回転するようにしてあり、発光色を容易に変更できるようにしてある。
また、図１中符号１１は蓄電池で、太陽電池１２で昼間蓄電し、夜間に使用するようにしてある。
【００１２】
上記の通りの実施例において、また、本発明道路線引夜間表示装置を道路上の車線線引、方向指示線引に使用すれば、光源を発光することにより、線引が側面発光し、夜間においてきわめて明るく発光し、分かり易く、視認し易く、事故防止、防犯に役立ち、安全対策にもなり、しかも低コストに提供できる。
【図面の簡単な説明】
【００１３】
【図１】本発明道路線引夜間表示装置を駐車場の区画線引に使用した実施例の平面図。
【図２】本発明道路線引夜間表示装置の断面図。
【図３】本発明道路線引夜間表示装置の光源部の平面図。
【図４】本発明道路線引夜間表示装置を高速道路の側壁に利用した実施例の斜面図。
【図５】本発明道路線引夜間表示装置の光源部に異色領域を有する回転板フィルターを設けた実施例の平面図。
【図６】上記回転板フィルターの斜面図。
【符号の説明】
【００１４】
１  区画線引
２  駐車場面
３  側面発光光ファイバー
４  保護カバー
５  入射端面
６  光源
７  回転板
８  異色領域
９  着色フィルター
１０  回転モータ
１１  蓄電池
１２  太陽電池
【図１】
2005090144.tif 000003
【図２】
2005090144.tif 000004
【図３】
2005090144.tif 000005
【図４】
2005090144.tif 000006
【図５】
2005090144.tif 000007
【図６】
2005090144.tif 000008